(57)【特許請求の範囲】
【請求項１】
ＲＦパルスを送信するための送信コイルと、勾配磁場を印加するための勾配コイルと、ＮＭＲ信号を受信するための受信コイルと、前記送信コイルと勾配コイルと受信コイルとを駆動してデータを収集するスキャン手段と、収集したデータを演算処理して画像を生成するデータ収集手段とを具備してなるＭＲＩ装置であって、
ＳＳＦＰ状態でデータ収集を行うために反復されるパルスシーケンスに、データ収集期間より後のタイミングで位相エンコード軸およびリード軸の少なくとも一方に印加される勾配パルスである、ＳＥ・ＳＴＥ信号の位相をリセットするためのクラッシャーを加えると共に、位相エンコード軸パルスを省いたパルスシーケンスを反復してＳＳＦＰ状態で位相ずれ測定用データを収集し、得られた位相ずれ測定用データからＦＩＤ信号の位相ずれを測定する位相ずれ測定手段を具備したことを特徴とするＭＲＩ装置。
【請求項２】
ＲＦパルスを送信するための送信コイルと、勾配磁場を印加するための勾配コイルと、ＮＭＲ信号を受信するための受信コイルと、前記送信コイルと勾配コイルと受信コイルとを駆動してデータを収集するスキャン手段と、収集したデータを演算処理して画像を生成するデータ収集手段とを具備してなるＭＲＩ装置であって、
ＳＳＦＰ状態でデータ収集を行うために反復されるパルスシーケンスに、ＲＦパルスより後で且つデータ収集期間より前のタイミングで位相エンコード軸およびリード軸の少なくとも一方に印加される勾配パルスである、ＦＩＤ信号の位相をリセットするためのクラッシャーを加えると共に、位相エンコード軸パルスを省いたパルスシーケンスを反復してＳＳＦＰ状態で位相ずれ測定用データを収集し、得られた位相ずれ測定用データからＳＥ・ＳＴＥ信号の位相ずれを測定する位相ずれ測定手段を具備したことを特徴とするＭＲＩ装置。
【発明の詳細な説明】
【０００１】
【発明の属する技術分野】
本発明は、ＦＩＤ（Free Induction Decay）信号の位相ずれ測定方法、ＳＥ（Spin Echo）・ＳＴＥ（STimulated Echo）信号の位相ずれ測定方法、ＭＲ（Magnetic Resonance）イメージング方法およびＭＲＩ（Magnetic Resonance Imaging）装置に関し、更に詳しくは、静磁場不均一に起因するＦＩＤ信号の位相ずれを測定する方法、静磁場不均一に起因するＳＥ・ＳＴＥ信号（ＳＥ信号およびＳＴＥ信号）の位相ずれを測定する方法、静磁場不均一に起因するＦＩＤ信号の位相ずれとＳＥ・ＳＴＥ信号の位相ずれとを補正して行うＭＲイメージング方法およびそれら方法を実施しうるＭＲＩ装置に関する。
【０００２】
【従来の技術】
特許第２８９８３２９号公報には、次のＭＲイメージング方法が開示されている。
（１）ＳＳＦＰ（Steady State Free Precession）状態でデータ収集を行うことを位相エンコード量を次々に変えて繰り返してｋ空間を埋める各ビューｖのデータｆｖ(０)を取得する。
（２）ＳＳＦＰ状態でデータ収集を行うことを位相エンコード量を次々に変えると共にＲＦ位相を交互に１８０゜変えることを繰り返してｋ空間を埋める各ビューｖのデータｆｖ(１)を取得する。
（３）ｆｖ(０)とｆｖ(１)を加算処理または減算処理してデータＡｖを生成する。
Ａｖ＝０.５×Ｆｖ(０)＋０.５×Ｆｖ(１)
または
Ａｖ＝０.５×Ｆｖ(０)−０.５×Ｆｖ(１)
（４）得られたデータＡｖから画像を再構成する。
【０００３】
上記ＭＲイメージング方法のようにＳＳＦＰ状態で収集したデータは、ＦＩＤ信号の成分とＳＥ・ＳＴＥ信号の成分の両方を含むデータである。
【０００４】
【発明が解決しようとする課題】
特許第２８９８３２９号公報に開示のＭＲイメージング方法のようにＳＳＦＰ状態で収集したデータからイメージを生成した場合、静磁場不均一があると、イメージ上にバンドアーチファクトを生じることが知られている。
このバンドアーチファクトを生じる原因は、静磁場不均一による位相ずれがＦＩＤ信号とＳＥ・ＳＴＥ信号とに生じ、ＦＩＤ信号とＳＥ・ＳＴＥ信号とが相互干渉を起こすためである。
そこで、本発明の目的は、静磁場不均一に起因するＦＩＤ信号の位相ずれを測定する方法、静磁場不均一に起因するＳＥ・ＳＴＥ信号の位相ずれを測定する方法、静磁場不均一に起因するＦＩＤ信号の位相ずれとＳＥ・ＳＴＥ信号の位相ずれとを補正して行うＭＲイメージング方法およびそれら方法を実施しうるＭＲＩ装置を提供することにある。
【０００５】
【課題を解決するための手段】
第１の観点では、本発明は、ＳＳＦＰ状態でデータ収集を行うために反復されるパルスシーケンスにＳＥ・ＳＴＥ信号の位相をリセットするためのクラッシャーを加えると共に位相エンコード軸パルスを省いたパルスシーケンスを反復してＳＳＦＰ状態で位相ずれ測定用データを収集し、得られた位相ずれ測定用データからＦＩＤ信号の位相ずれを測定することを特徴とするＦＩＤ信号の位相ずれ測定方法を提供する。
上記第１の観点によるＦＩＤ信号の位相ずれ測定方法では、クラッシャーを加えることによりＳＥ・ＳＴＥ信号の位相をリセットするため、得られた位相ずれ測定用データは、ＦＩＤ信号成分の位相ずれを表すこととなる。よって、得られた位相ずれ測定用データからＦＩＤ信号の位相ずれを測定可能となる。
【０００６】
第２の観点では、本発明は、上記構成のＦＩＤ信号の位相ずれ測定方法において、前記ＳＥ・ＳＴＥ信号の位相をリセットするためのクラッシャーは、データ収集期間より後のタイミングで位相エンコード軸およびリード軸の少なくとも一方に印加される勾配パルスであることを特徴とするＦＩＤ信号の位相ずれ測定方法を提供する。
上記第２の観点によるＦＩＤ信号の位相ずれ測定方法では、データ収集期間より後のタイミングで位相エンコード軸およびリード軸の少なくとも一方に勾配パルスを印加するため、ＦＩＤ信号成分の位相には影響を与えずに、ＳＥ・ＳＴＥ信号の位相をリセットすることが出来る。
【０００７】
第３の観点では、本発明は、ＳＳＦＰ状態でデータ収集を行うために反復されるパルスシーケンスにＦＩＤ信号の位相をリセットするためのクラッシャーを加えると共に位相エンコード軸パルスを省いたパルスシーケンスを反復してＳＳＦＰ状態で位相ずれ測定用データを収集し、得られた位相ずれ測定用データからＳＥ・ＳＴＥ信号の位相ずれを測定することを特徴とするＳＥ・ＳＴＥ信号の位相ずれ測定方法を提供する。
上記第３の観点によるＦＩＤ信号の位相ずれ測定方法では、クラッシャーを加えることによりＦＩＤ信号の位相をリセットするため、得られた位相ずれ測定用データは、ＳＥ・ＳＴＥ信号成分の位相ずれを表すこととなる。よって、得られた位相ずれ測定用データからＳＥ・ＳＴＥ信号の位相ずれを測定可能となる。
【０００８】
第４の観点では、本発明は、上記構成のＳＥ・ＳＴＥ信号の位相ずれ測定方法において、前記ＦＩＤ信号の位相をリセットするためのクラッシャーは、ＲＦパルスより後で且つデータ収集期間より前のタイミングで位相エンコード軸およびリード軸の少なくとも一方に印加される勾配パルスであることを特徴とするＳＥ・ＳＴＥ信号の位相ずれ測定方法を提供する。
上記第４の観点によるＦＩＤ信号の位相ずれ測定方法では、ＲＦパルスより後で且つデータ収集期間より前のタイミングで位相エンコード軸およびリード軸の少なくとも一方に勾配パルスを印加するため、ＳＥ・ＳＴＥ信号成分の位相には影響を与えずに、ＦＩＤ信号の位相をリセットすることが出来る。
【０００９】
第５の観点では、本発明は、ＳＳＦＰ状態でデータ収集を行うために反復されるパルスシーケンスのＲＦパルスの位相を調整してＦＩＤ信号とＳＥ・ＳＴＥ信号の位相ずれを補正したパルスシーケンスを反復してＳＳＦＰ状態でイメージング用データを収集し、得られたイメージング用データからイメージを生成することを特徴とするＭＲイメージング方法を提供する。
上記第５の観点によるＭＲイメージング方法では、ＲＦパルスの位相を調整することにより、ＦＩＤ信号とＳＥ・ＳＴＥ信号の０次の位相ずれを補正することが出来るので、静磁場不均一に起因するバンドアーチファクトを抑制することが出来る。
【００１０】
第６の観点では、本発明は、ＳＳＦＰ状態でデータ収集を行うために反復されるパルスシーケンスにＦＩＤ信号とＳＥ・ＳＴＥ信号の位相ずれを補正する補正パルスを加えたパルスシーケンスを反復してＳＳＦＰ状態でイメージング用データを収集し、得られたイメージング用データからイメージを生成することを特徴とするＭＲイメージング方法を提供する。
上記第６の観点によるＭＲイメージング方法では、補正パルスを加えることにより、ＦＩＤ信号とＳＥ・ＳＴＥ信号の１次の位相ずれを補正することが出来るので、静磁場不均一に起因するバンドアーチファクトを抑制することが出来る。
【００１１】
第７の観点では、本発明は、ＳＳＦＰ状態でデータ収集を行うために反復されるパルスシーケンスのＲＦパルスの位相を調整すると共にＦＩＤ信号とＳＥ・ＳＴＥ信号の位相ずれを補正する補正パルスを加えてＦＩＤ信号とＳＥ・ＳＴＥ信号の位相ずれを補正したパルスシーケンスを反復してＳＳＦＰ状態でイメージング用データを収集し、得られたイメージング用データからイメージを生成することを特徴とするＭＲイメージング方法を提供する。
上記第７の観点によるＭＲイメージング方法では、ＲＦパルスの位相を調整すること及び補正パルスを加えることにより、ＦＩＤ信号とＳＥ・ＳＴＥ信号の０次及び１次の位相ずれを補正することが出来るので、静磁場不均一に起因するバンドアーチファクトを抑制することが出来る。
【００１２】
第８の観点では、本発明は、上記構成のＭＲイメージング方法において、前記補正パルスがリード軸パルスに足し込まれていることを特徴とするＭＲイメージング方法を提供する。
補正パルスは、独自に加えてもよいが、リード軸パルスに足し込んでもよい。
【００１３】
第９の観点では、本発明は、ＲＦパルスを送信するための送信コイルと、勾配磁場を印加するための勾配コイルと、ＮＭＲ信号を受信するための受信コイルと、前記送信コイルと勾配コイルと受信コイルとを駆動してデータを収集するスキャン手段と、収集したデータを演算処理して画像を生成するデータ処理手段とを具備してなるＭＲＩ装置であって、ＳＳＦＰ状態でデータ収集を行うために反復されるパルスシーケンスにＳＥ・ＳＴＥ信号の位相をリセットするためのクラッシャーを加えると共に位相エンコード軸パルスを省いたパルスシーケンスを反復してＳＳＦＰ状態で位相ずれ測定用データを収集し、得られた位相ずれ測定用データからＦＩＤ信号の位相ずれを測定する位相ずれ測定手段を具備したことを特徴とするＭＲＩ装置を提供する。
上記第９の観点によるＭＲＩ装置では、上記第１の観点によるＦＩＤ信号の位相ずれ測定方法を好適に実施できる。
【００１４】
第１０の観点では、本発明は、上記構成のＭＲＩ装置において、前記ＳＥ・ＳＴＥ信号の位相をリセットするためのクラッシャーは、データ収集期間より後のタイミングで位相エンコード軸およびリード軸の少なくとも一方に印加される勾配パルスであることを特徴とするＭＲＩ装置を提供する。
上記第１０の観点によるＭＲＩ装置では、上記第２の観点によるＦＩＤ信号の位相ずれ測定方法を好適に実施できる。
【００１５】
第１１の観点では、本発明は、ＲＦパルスを送信するための送信コイルと、勾配磁場を印加するための勾配コイルと、ＮＭＲ信号を受信するための受信コイルと、前記送信コイルと勾配コイルと受信コイルとを駆動してデータを収集するスキャン手段と、収集したデータを演算処理して画像を生成するデータ処理手段とを具備してなるＭＲＩ装置であって、ＳＳＦＰ状態でデータ収集を行うために反復されるパルスシーケンスにＦＩＤ信号の位相をリセットするためのクラッシャーを加えると共に位相エンコード軸パルスを省いたパルスシーケンスを反復してＳＳＦＰ状態で位相ずれ測定用データを収集し、得られた位相ずれ測定用データからＳＥ・ＳＴＥ信号の位相ずれを測定する位相ずれ測定手段を具備したことを特徴とするＭＲＩ装置を提供する。
上記第１１の観点によるＭＲＩ装置では、上記第３の観点によるＳＥ・ＳＴＥ信号の位相ずれ測定方法を好適に実施できる。
【００１６】
第１２の観点では、本発明は、上記構成のＭＲＩ装置において、前記ＦＩＤ信号の位相をリセットするためのクラッシャーは、ＲＦパルスより後で且つデータ収集期間より前のタイミングで位相エンコード軸およびリード軸の少なくとも一方に印加される勾配パルスであることを特徴とするＭＲＩ装置を提供する。
上記第１２の観点によるＭＲＩ装置では、上記第４の観点によるＳＥ・ＳＴＥ信号の位相ずれ測定方法を好適に実施できる。
【００１７】
第１３の観点では、本発明は、ＲＦパルスを送信するための送信コイルと、勾配磁場を印加するための勾配コイルと、ＮＭＲ信号を受信するための受信コイルと、前記送信コイルと勾配コイルと受信コイルとを駆動してデータを収集するスキャン手段と、収集したデータを演算処理して画像を生成するデータ処理手段とを具備してなるＭＲＩ装置であって、前記スキャン手段は、ＳＳＦＰ状態でデータ収集を行うために反復されるパルスシーケンスのＲＦパルスの位相を調整してＦＩＤ信号とＳＥ・ＳＴＥ信号の位相ずれを補正したパルスシーケンスを反復してＳＳＦＰ状態でイメージング用データを収集することを特徴とするＭＲＩ装置を提供する。
上記第１３の観点によるＭＲＩ装置では、上記第５の観点によるＭＲイメージング方法を好適に実施できる。
【００１８】
第１４の観点では、本発明は、ＲＦパルスを送信するための送信コイルと、勾配磁場を印加するための勾配コイルと、ＮＭＲ信号を受信するための受信コイルと、前記送信コイルと勾配コイルと受信コイルとを駆動してデータを収集するスキャン手段と、収集したデータを演算処理して画像を生成するデータ処理手段とを具備してなるＭＲＩ装置であって、前記スキャン手段は、ＳＳＦＰ状態でデータ収集を行うために反復されるパルスシーケンスにＦＩＤ信号とＳＥ・ＳＴＥ信号の位相ずれを補正する補正パルスを加えたパルスシーケンスを反復してＳＳＦＰ状態でイメージング用データを収集することを特徴とするＭＲＩ装置を提供する。
上記第１４の観点によるＭＲＩ装置では、上記第６の観点によるＭＲイメージング方法を好適に実施できる。
【００１９】
第１５の観点では、本発明は、ＲＦパルスを送信するための送信コイルと、勾配磁場を印加するための勾配コイルと、ＮＭＲ信号を受信するための受信コイルと、前記送信コイルと勾配コイルと受信コイルとを駆動してデータを収集するスキャン手段と、収集したデータを演算処理して画像を生成するデータ処理手段とを具備してなるＭＲＩ装置であって、前記スキャン手段は、ＳＳＦＰ状態でデータ収集を行うために反復されるパルスシーケンスのＲＦパルスの位相を調整すると共にＦＩＤ信号とＳＥ・ＳＴＥ信号の位相ずれを補正する補正パルスを加えてＦＩＤ信号とＳＥ・ＳＴＥ信号の位相ずれを補正したパルスシーケンスを反復してＳＳＦＰ状態でイメージング用データを収集することを特徴とするＭＲＩ装置を提供する。
上記第１５の観点によるＭＲＩ装置では、上記第７の観点によるＭＲイメージング方法を好適に実施できる。
【００２０】
第１６の観点では、本発明は、請求項１３または請求項１５上記構成のＭＲＩ装置において、前記補正パルスがリード軸パルスに足し込まれていることを特徴とするＭＲＩ装置を提供する。
上記第１６の観点によるＭＲＩ装置では、上記第８の観点によるＭＲイメージング方法を好適に実施できる。
【００２１】
【発明の実施の形態】
以下、図に示す実施形態により本発明をさらに詳しく説明する。なお、これにより本発明が限定されるものではない。
【００２２】
図１は、本発明の一実施形態にかかるＭＲＩ装置を示すブロック図である。
このＭＲＩ装置１００において、マグネットアセンブリ１は、内部に被検体を挿入するための空間部分（ボア）を有し、この空間部分を取りまくようにして、被検体に一定の静磁場を印加する静磁場コイル１ｐと、Ｘ軸，Ｙ軸，Ｚ軸の勾配磁場（Ｘ軸，Ｙ軸，Ｚ軸の組み合わせによりスライス軸，リード軸，位相エンコード軸が形成される）を発生するための勾配磁場コイル１ｇと、被検体内の原子核のスピンを励起するためのＲＦパルスを与える送信コイル１ｔと、被検体からのＮＭＲ信号を検出する受信コイル１ｒとが配置されている。静磁場コイル１ｐ，勾配磁場コイル１ｇ，送信コイル１ｔおよび受信コイル１ｒは、それぞれ静磁場電源２，勾配磁場駆動回路３，ＲＦ電力増幅器４および前置増幅器５に接続されている。
なお、静磁場コイル１ｐの代わりに永久磁石を用いてもよい。
【００２３】
シーケンス記憶回路６は、計算機７からの指令に従い、記憶しているパルスシーケンスに基づいて勾配磁場駆動回路３を操作し、マグネットアセンブリ１の勾配磁場コイル１ｇから勾配磁場を発生させると共に、ゲート変調回路８を操作し、ＲＦ発振回路９の搬送波出力信号を所定タイミング・所定包絡線形状のパルス状信号に変調し、それをＲＦパルスとしてＲＦ電力増幅器４に加え、ＲＦ電力増幅器４でパワー増幅した後、マグネットアセンブリ１の送信コイル１ｔに印加し、所望の撮像面を選択励起する。
【００２４】
前置増幅器５は、マグネットアセンブリ１の受信コイル１ｒで受信された被検体からのＮＭＲ信号を増幅し、位相検波器１０に入力する。位相検波器１０は、ＲＦ発振回路９の搬送波出力信号を参照信号とし、前置増幅器５からのＮＭＲ信号を位相検波して、ＡＤ変換器１１に与える。ＡＤ変換器１１は、位相検波後のアナログ信号をデジタルデータに変換して、計算機７に入力する。
【００２５】
計算機７は、操作コンソール１２から入力された情報を受け取るなどの全体的な制御を受け持つ。また、計算機７は、ＡＤ変換器１１からデジタルデータを読み込み、演算処理を行って画像を生成する。
表示装置１３は、画像やメッセージを表示する。
【００２６】
図２は、ＦＩＤ信号の位相ずれ測定用パルスシーケンスの第１例を示すパルスシーケンス図である。なお、図では２ＴＲ分を示しているが、ＳＳＦＰ状態となるまで反復される。
このＦＩＤ信号の位相ずれ測定用パルスシーケンスは、ＳＳＦＰ状態でデータ収集を行うために反復されるパルスシーケンスにＳＥ・ＳＴＥ信号の位相をリセットするためのクラッシャーＣｓを加えると共に位相エンコード軸パルスを省いたパルスシーケンスである。
ＳＥ・ＳＴＥ信号の位相をリセットするためのクラッシャーＣｓは、データ収集期間より後のタイミングで、位相エンコード軸に加えられている。
【００２７】
図３は、ＦＩＤ信号の位相ずれ測定用パルスシーケンスの第２例を示すパルスシーケンス図である。なお、図では２ＴＲ分を示しているが、ＳＳＦＰ状態となるまで反復される。
このＦＩＤ信号の位相ずれ測定用パルスシーケンスは、ＳＳＦＰ状態でデータ収集を行うために反復されるパルスシーケンスのリード軸パルスに、ＳＥ・ＳＴＥ信号の位相をリセットするためのクラッシャーＣｓを足し込むと共に、位相エンコード軸パルスを省いたパルスシーケンスである。
ＳＥ・ＳＴＥ信号の位相をリセットするためのクラッシャーＣｓは、データ収集期間より後のタイミングで、位相エンコード軸に加えられている。
【００２８】
図４は、上記ＦＩＤ信号の位相ずれ測定用パルスシーケンスを用いて収集されたローデータＲＤｆを示す概念図である。
静磁場不均一がない場合にはサンプリング番号０での信号の強さがピークになるが、静磁場不均一がある場合にはサンプリング番号０からズレて信号の強さのピークが現れる。このズレからＦＩＤ信号の１次の位相ずれΔφｆを測定することが出来る。
【００２９】
図５は、上記ＦＩＤ信号の位相ずれ測定用パルスシーケンスを用いて収集されたローデータＲＤｆをフーリエ変換して得たイメージの位相を示す概念図である。
静磁場不均一がない場合には位置にかかわらず位相が０になるが、静磁場不均一がある場合には位相が０にならず、位置に依存した変化を示すことが多い。この位置に依存した位相の変化からＦＩＤ信号の１次の位相ずれΔΦｆを測定することが出来る。また、ＦＩＤ信号の０次の位相ずれφf0を測定することが出来る。
【００３０】
図６は、ＳＥ・ＳＴＥ信号の位相ずれ測定用パルスシーケンスの第１例を示すパルスシーケンス図である。なお、図では２ＴＲ分を示しているが、ＳＳＦＰ状態となるまで反復される。
このＳＥ・ＳＴＥ信号の位相ずれ測定用パルスシーケンスは、ＳＳＦＰ状態でデータ収集を行うために反復されるパルスシーケンスにＦＩＤ信号の位相をリセットするためのクラッシャーＣｆを加えると共に位相エンコード軸パルスを省いたパルスシーケンスである。
ＦＩＤ信号の位相をリセットするためのクラッシャーＣｆは、ＲＦパルスαよりも後で且つデータ収集期間より前のタイミングで、位相エンコード軸に加えられている。
【００３１】
図７は、ＳＥ・ＳＴＥ信号の位相ずれ測定用パルスシーケンスの第２例を示すパルスシーケンス図である。なお、図では２ＴＲ分を示しているが、ＳＳＦＰ状態となるまで反復される。
このＳＥ・ＳＴＥ信号の位相ずれ測定用パルスシーケンスは、ＳＳＦＰ状態でデータ収集を行うために反復されるパルスシーケンスのリード軸パルスに、ＦＩＤ信号の位相をリセットするためのクラッシャーＣｆを足し込むと共に、位相エンコード軸パルスを省いたパルスシーケンスである。
ＦＩＤ信号の位相をリセットするためのクラッシャーＣｆは、ＲＦパルスαより後で且つデータ収集期間より前のタイミングで、位相エンコード軸に加えられている。
【００３２】
図８は、上記ＳＥ・ＳＴＥ信号の位相ずれ測定用パルスシーケンスを用いて収集されたローデータＲＤｅを示す概念図である。
静磁場不均一がない場合にはサンプリング番号０での信号の強さがピークになるが、静磁場不均一がある場合にはサンプリング番号０からズレて信号の強さのピークが現れる。このズレからＳＥ・ＳＴＥ信号の１次の位相ずれΔΦｅを測定することが出来る。
【００３３】
図９は、上記ＳＥ・ＳＴＥ信号の位相ずれ測定用パルスシーケンスを用いて収集されたローデータＲＤｅをフーリエ変換して得たイメージの位相を示す概念図である。
静磁場不均一がない場合には位置にかかわらず位相が０になるが、静磁場不均一がある場合には位相が０にならず、位置に依存した変化を示すことが多い。この位置に依存した位相の変化からＳＥ・ＳＴＥ信号の１次の位相ずれΔΦｅを測定することが出来る。また、ＳＥ・ＳＴＥ信号の０次の位相ずれφe0を測定することが出来る。
【００３４】
次に、クラッシャＣｓ，Ｃｆの働きを説明する。
図１０は、静磁場不均一によるＦＩＤ信号の位相ずれを説明するための模式図である。
図１０では、静磁場不均一や渦電流や残留磁化等の影響を、リード軸に存在する一定の磁場として表している。この一定の磁場を、各ＴＲ毎に、ＲＦパルスαからデータ収集期間まで積分した面積Ｚｆが、ＦＩＤ信号の位相ずれを生じさせる。
【００３５】
図１１は、静磁場不均一によるＳＥ・ＳＴＥ信号の位相ずれを説明するための模式図である。
図１１では、静磁場不均一や渦電流や残留磁化等の影響を、リード軸に存在する一定の磁場として表している。この一定の磁場を、着目するデータ収集期間より２つ以上前のＲＦパルスαから着目するデータ収集期間まで積分した面積Ｚｅ（ＲＦパルスαを挟む同じ面積同士は影響が相殺されるので、面積Ｚｅだけが実際に影響する面積となる）が、ＳＥ・ＳＴＥ信号の位相ずれを生じさせる。
【００３６】
図２のクラッシャＣｓの面積は、図１１の面積Ｚｅよりずっと大きいため、ＳＥ・ＳＴＥ信号の位相がクラッシャＣｓでリセットされる。また、図２のクラッシャＣｓは、データ収集期間より後であるため、ＦＩＤ信号の位相に影響しない。
【００３７】
他方、図６のクラッシャＣｆの面積は、図１０の面積Ｚｆよりずっと大きいため、ＦＩＤ信号の位相がクラッシャＣｆでリセットされる。また、図６のクラッシャＣｆは、ＲＦパルスαを挟んで存在するため、ＳＥ・ＳＴＥ信号の位相に影響しない（相殺される）。
【００３８】
なお、クラッシャＣｓ，Ｃｆを、位相エンコード軸とリード軸の両方に印加してもよい。
【００３９】
図１２は、位相ずれの補正方法を示す概念図である。
（ａ）に示すようにＲＦパルスαの位相を調整することで、ＦＩＤ信号およびＳＥ・ＳＴＥ信号の０次の位相ずれφf0およびφe0を補正できる。
また、（ｂ）に示すように補正パルスｈをリード軸パルスに足し込むことで、ＦＩＤ信号およびＳＥ・ＳＴＥ信号の１次の位相ずれΔΦｆおよびΔΦｅを補正できる。
【００４０】
なお、位相調整したＲＦパルスαおよび補正パルスｈを足し込んだリード軸パルスを用いて位相ずれを再測定し、得られた位相ずれを基にＲＦパルスαの位相の再調整と補正パルスの再調整とを行うことを数回繰り返し、補正を最適化する。
【００４１】
図１３は、ＳＳＦＰ状態でイメージング用データを収集するために反復されるパルスシーケンスを示すパルスシーケンス図である。
ＲＦパルスαの位相は、０次の位相ずれを補正するように調整されている。また、リード軸パルスには、１次の位相ずれを補正する補正パルスが足し込まれている。
位相エンコード軸には、位相エンコード軸パルス（エンコーダおよびリワインダ）が印加される。
このパルスシーケンスを用いて収集したイメージング用データからイメージを生成すれば、静磁場不均一があった場合でも、バンドアーチファクトを抑制することが出来る。
【００４２】
上記ＭＲＩ装置１００によれば、次の効果が得られる。
（Ａ）静磁場不均一に起因するＦＩＤ信号の位相ずれを測定できる。
（Ｂ）静磁場不均一に起因するＳＥ・ＳＴＥ信号の位相ずれを測定できる。
（Ｃ）静磁場不均一に起因するＦＩＤ信号の位相ずれとＳＥ・ＳＴＥ信号の位相ずれとを補正でき、イメージ上のバンドアーチファクトを抑制できる。
【００４３】
なお、本発明は、ＳＳＦＰ状態でデータの収集を行うパルスシーケンス、例えばＦＩＥＳＴＡ（Fast Imaging Employing STeady state Acqisition）、True ＳＳＦＰなどに適用可能である。また、これらパルスシーケンスの３Ｄの場合にも適用可能である。また、これらパルスシーケンスで流れ補正を行う場合にも適用可能である。
【００４４】
【発明の効果】
本発明のＭＲイメージング方法およびＭＲＩ装置によれば、バンドアーチファクトの無い画質の良好な画像が得られる可能性がある。
【図面の簡単な説明】
【図１】本発明の一実施形態にかかるＭＲＩ装置のブロック図である。
【図２】ＦＩＤ信号の位相ずれ測定用パルスシーケンスの第１例を示すパルスシーケンス図である。
【図３】ＦＩＤ信号の位相ずれ測定用パルスシーケンスの第２例を示すパルスシーケンス図である。
【図４】ＦＩＤ信号の０次の位相ずれを示す概念図である。
【図５】ＦＩＤ信号の１次の位相ずれを示す概念図である。
【図６】ＳＥ・ＳＴＥ信号の位相ずれ測定用パルスシーケンスの第１例を示すパルスシーケンス図である。
【図７】ＳＥ・ＳＴＥ信号の位相ずれ測定用パルスシーケンスの第２例を示すパルスシーケンス図である。
【図８】ＳＥ・ＳＴＥ信号の０次の位相ずれを示す概念図である。
【図９】ＳＥ・ＳＴＥ信号の１次の位相ずれを示す概念図である。
【図１０】ＦＩＤ信号の位相ずれを説明するための模式図である。
【図１１】ＳＥ・ＳＴＥ信号の位相ずれを説明するための模式図である。
【図１２】位相ずれの補正方法を説明するための模式図である。
【図１３】イメージング用パルスシーケンスを示すパルスシーケンス図である。
【符号の説明】
１              マグネットアセンブリ
１ｔ            送信コイル
１ｒ            受信コイル
４              ＲＦ電力増幅器
５              前置増幅器
７              計算機
８              シーケンス記憶回路
１００          ＭＲＩ装置
Ｃｓ，Ｃｆ      クラッシャ
ｈ              補正パルス
【図１】
0003796446.tif 000002
【図２】
0003796446.tif 000003
【図３】
0003796446.tif 000004
【図４】
0003796446.tif 000005
【図５】
0003796446.tif 000006
【図６】
0003796446.tif 000007
【図７】
0003796446.tif 000008
【図８】
0003796446.tif 000009
【図９】
0003796446.tif 000010
【図１０】
0003796446.tif 000011
【図１１】
0003796446.tif 000012
【図１２】
0003796446.tif 000013
【図１３】
0003796446.tif 000014